【手続補正書】
【提出日】平成20年3月28日(2008.3.28)
【手続補正１】
【補正対象書類名】明細書
【補正対象項目名】特許請求の範囲
【補正方法】変更
【補正の内容】
【特許請求の範囲】
【請求項１】  遊技機に対応して設けられ、少なくとも文字表示可能なように所定数の表示画素がマトリックス状に配列された表示画面に、少なくとも対応する前記遊技機の遊技情報と該遊技情報以外の情報とを表示可能な遊技用表示装置において、
前記遊技情報以外の情報となる複数の表示内容と、各表示内容の表示順序と、を登録可能な登録手段と、
該登録手段にて登録された表示順序に従って、前記登録された各表示内容を前記表示画面に切り替え表示させる表示切替手段と、
が設けられていることを特徴とする遊技用表示装置。
【請求項２】  前記登録手段は、前記表示内容を前記表示画面に表示する表示時間が、その表示内容に対応付けて登録可能とされ、前記表示切替手段は、前記表示内容を該表示内容に対応する前記表示時間に基づき前記表示画面に表示する請求項１に記載の遊技用表示装置。
【請求項３】  前記登録手段には、所定の期間の前記表示順序が登録可能とされているとともに、現在の日時情報を出力可能な時間情報出力部を具備し、前記表示切替手段は、前記時間情報出力部より出力された日時情報に該当する前記所定の期間の表示順序に基づき、表示切り替えを実施する請求項１または２に記載の遊技用表示装置。
【請求項４】  少なくとも前記表示画面とデータ通信手段とを有する複数の表示端末と、該複数の表示端末のそれぞれとデータ通信接続され、少なくとも前記登録手段を有する制御コンピュータと、から構成されている請求項１〜３のいずれかに記載の遊技用表示装置。
【請求項５】  前記制御コンピュータに、前記表示切替手段が設けられている請求項４に記載の遊技用表示装置。
【請求項６】  前記制御コンピュータにおいて、表示内容が表示される表示端末を、表示端末単位または遊技島単位毎に指定可能とされている請求項４または５に記載の遊技用表示装置。
【請求項７】  前記制御コンピュータは、前記表示順序が設定されたテーブル上において所定の指定内容が選択された場合に、予め登録された表示端末または遊技島に対応する表示内容を、対応する各表示端末毎または遊技島単位毎に個別に出力し、該出力された表示内容を各表示端末が前記表示画面に表示する請求項４〜６のいずれかに記載の遊技用表示装置。
【請求項８】  前記制御コンピュータは、前記表示内容の編集または削除が可能とされている請求項４〜７のいずれかに記載の遊技用表示装置。
【請求項９】  前記制御コンピュータは、前記表示端末の表示画面における表示状態を確認可能とされている請求項４〜８のいずれかに記載の遊技用表示装置。
【請求項１０】  少なくとも遊技者が操作可能な操作部が設けられ、前記表示端末は、前記操作部が操作された場合において該操作に基づく表示内容の表示を前記表示順序に基づく表示より優先して表示する請求項１〜９のいずれかに記載の遊技用表示装置。
【請求項１１】  前記表示画面は表示内容を順次移動して表示するスクロール表示が可能とされている請求項１〜１０のいずれかに記載の遊技用表示装置。
【請求項１２】  文字情報が乗調された所定の電波を受信し、該乗調された文字情報を復調により文字データとする文字放送受信手段を具備し、該文字データを表示画面に表示する請求項１〜１１のいずれかに記載の遊技用表示装置。
【請求項１３】  前記文字放送受信手段が前記制御コンピュータに接続され、該制御コンピュータを介して受信された前記文字データが各表示端末に配信される請求項１２に記載の遊技用表示装置。
【請求項１４】  前記制御コンピュータは、受信した文字データを記憶可能な記憶手段を具備し、該記憶された文字データの編集が可能とされている請求項１３に記載の遊技用表示装置。
【手続補正２】
【補正対象書類名】明細書
【補正対象項目名】０００６
【補正方法】変更
【補正の内容】
【０００６】
【課題を解決するための手段】
前記した問題を解決するために、本発明の遊技用表示装置は、遊技機に対応して設けられ、少なくとも文字表示可能なように所定数の表示画素がマトリックス状に配列された表示画面に、少なくとも対応する前記遊技機の遊技情報と該遊技情報以外の情報とを表示可能な遊技用表示装置において、
前記遊技情報以外の情報となる複数の表示内容と、各表示内容の表示順序と、を登録可能な登録手段と、
該登録手段にて登録された表示順序に従って、前記登録された各表示内容を前記表示画面に切り替え表示させる表示切替手段と、
が設けられていることを特徴としている。
この特徴によれば、前記登録手段を設けることにより、切替表示される各表示内容の表示順序を変更したり、新たな提供情報を登録することが可能となり、これら表示順序を変更や新たな提供情報の登録における労力や煩雑さを低減することができる。
【手続補正３】
【補正対象書類名】明細書
【補正対象項目名】０００７
【補正方法】変更
【補正の内容】
【０００７】
本発明の遊技用表示装置は、前記登録手段は、前記表示内容を前記表示画面に表示する表示時間が、その表示内容に対応付けて登録可能とされ、前記表示切替手段は、前記表示内容を該表示内容に対応する前記表示時間に基づき前記表示画面に表示することが好ましい。
このようにすれば、表示内容毎に前記表示画面に表示される時間を適宜設定することができる。
【手続補正４】
【補正対象書類名】明細書
【補正対象項目名】０００８
【補正方法】変更
【補正の内容】
【０００８】
本発明の遊技用表示装置は、前記登録手段には、所定の期間の前記表示順序が登録可能とされているとともに、現在の日時情報を出力可能な時間情報出力部を具備し、前記表示切替手段は、前記時間情報出力部より出力された日時情報に該当する前記所定の期間の表示順序に基づき、表示切り替えを実施することが好ましい。
このようにすれば、例えば所定の時間帯や曜日等において前記表示順序を予め設定しておくことで、その時間帯や曜日になった時点で予め設定しておいた前記表示順序に基づく表示切替が実施されるようになり、利便性を向上できる。
【手続補正５】
【補正対象書類名】明細書
【補正対象項目名】０００９
【補正方法】変更
【補正の内容】
【０００９】
本発明の遊技用表示装置は、少なくとも前記表示画面とデータ通信手段とを有する複数の表示端末と、該複数の表示端末のそれぞれとデータ通信接続され、少なくとも前記登録手段を有する制御コンピュータと、から構成されていることが好ましい。
このようにすれば、前記制御コンピュータにおいて、集中的に各表示端末における表示順序の変更や新たな提供情報の登録を実施できるようになり、これら表示順序の変更や新たな提供情報の登録における労力や煩雑さを、より一層低減できるばかりか、各表示端末における表示順序や表示内容並びに表示時間を一元的に管理することもできる。
【手続補正６】
【補正対象書類名】明細書
【補正対象項目名】００５１
【補正方法】変更
【補正の内容】
【００５１】
これら制御コンピュータ４９の構成は、図９に示すように、制御コンピュータ４９内部にてデ−タの送受を行うデ−タバス１２９に、中央演算処理装置（ＣＰＵ）１２０、ＲＡＭ１２４、表示装置１２３、日時情報を出力可能な時間情報出力部としての時計装置１２６、キーボードやマウス等の入力装置１２７、フロッピーディスクやＣＤ−ＲＯＭ等の記録媒体よりデータの読み出し、書き込みを実施する記録媒体駆動装置１２８、磁気ディスクや光磁気ディスクから成る記憶装置１２５、前記各遊技島１毎に設けられた分岐端末（ＤＭＣ）４６とのデ−タ通信を行う第１の通信インタ−フェィス１２１と、前記文字放送受信装置４８が接続される第２の通信インタ−フェィス１２２、とが接続された通常のコンピュ−タであり、前記記憶装置１２５には、図１６に示すように、該制御コンピュータ４９において、各制御ユニット１００に配信されるインフォーメーション等の各種表示内容の配信順序とその表示時間と配信先が設定された設定内容を記憶するスケジュールデータベース（ＤＢ）や、図１７に示すように、文章設定画面において編集された表示内容が登録される設定文章データベース（ＤＢ）や、図１８や図１９に示すように、各表示端末である前記各制御ユニット１００の初期設定の内容やデータ加工設定の内容が登録される設定状況データベース（ＤＢ）や、図２０に示すように、前記分岐端末（ＤＭＣ）４６と制御ユニット１００から構成される通信ネットワーク上におけるアドレスと、該制御ユニット１００である表示端末が対応する遊技機の台番号とが対応付けられて登録される台番号データベース（ＤＢ）とが記憶されており、図１６に示すスケジュール設定画面において、前記各表示端末の表示ユニット９に表示される内容の順序とその表示時間とを適宜設定できるようになっており、該制御コンピュータ４９にて本発明の登録手段が形成されている。
【手続補正７】
【補正対象書類名】明細書
【補正対象項目名】０１０２
【補正方法】変更
【補正の内容】
【０１０２】
以上、前記本実施例のように、登録手段である前記制御コンピュータ４９を設けることにより、前記表示ユニット９上にて切替表示される各表示内容の表示順序を変更したり、新規に遊技者に提供したいデータ、例えば前記本日のラッキー台のように、日々変化するような情報を、容易にかつ迅速に登録して表示ユニット９上に表示させることが可能となり、これら表示順序の変更や新規情報の登録等における労力や煩雑さを著しく低減することができる。
【手続補正８】
【補正対象書類名】明細書
【補正対象項目名】０１０４
【補正方法】変更
【補正の内容】
【０１０４】
本発明の請求項１は、遊技機（パチンコ機２）に対応して設けられ、少なくとも文字表示可能なように所定数の表示画素（ＬＥＤ素子）がマトリックス状に配列された表示画面（表示ユニット９）に、少なくとも対応する前記遊技機（パチンコ機２）の遊技情報（大当り回数、スタート回数）と該遊技情報以外の情報（インフォメーション、文字放送）とを表示可能な遊技用表示装置において、前記遊技情報以外の情報となる複数の表示内容（インフォメーション、文字放送）と、各表示内容の表示順序と、を登録可能な登録手段（制御コンピュータ４９）と、該登録手段にて登録された表示順序に従って、前記登録された各表示内容を前記表示画面に切り替え表示させる表示切替手段（制御コンピュータ４９）と、が設けられている。
【手続補正９】
【補正対象書類名】明細書
【補正対象項目名】０１０５
【補正方法】変更
【補正の内容】
【０１０５】
また、本発明の請求項２は、前記登録手段（制御コンピュータ４９）は、前記表示内容を前記表示画面（表示ユニット９）に表示する表示時間が、その表示内容に対応付けて登録可能とされ、前記表示切替手段（制御コンピュータ４９）は、前記表示内容を該表示内容に対応する前記表示時間に基づき前記表示画面（表示ユニット９）に表示する。
【手続補正１０】
【補正対象書類名】明細書
【補正対象項目名】０１０６
【補正方法】変更
【補正の内容】
【０１０６】
また、本発明の請求項３は、前記登録手段（制御コンピュータ４９）には、所定の期間（１０時〜１２時）の前記表示順序が登録可能とされているとともに、現在の日時情報を出力可能な時間情報出力部（時計装置１２６）を具備し、前記表示切替手段（制御コンピュータ４９）は、前記時間情報出力部（時計装置１２６）より出力された日時情報に該当する前記所定の期間の表示順序に基づき、表示切り替えを実施する。
【手続補正１１】
【補正対象書類名】明細書
【補正対象項目名】０１０７
【補正方法】変更
【補正の内容】
【０１０７】
また、本発明の請求項４は、少なくとも前記表示画面（表示ユニット９）とデータ通信手段（通信部７３）とを有する複数の表示端末（制御ユニット１００）と、該複数の表示端末（制御ユニット１００）のそれぞれとデータ通信接続され、少なくとも前記登録手段を有する制御コンピュータ４９と、から構成されている。
【手続補正１２】
【補正対象書類名】明細書
【補正対象項目名】０１２０
【補正方法】変更
【補正の内容】
【０１２０】
また、前記実施例では登録手段を制御ユニット１００が常時接続されている制御コンピュータ４９としているが、本発明はこれに限定されるものではなく、例えば、前述のように前記制御マイコン７９が、表示の切替を実施するような場合には、前記通信部７３に適宜にスケジュール設定用コンピュータを接続して、前記文字データとスケジュール設定データとを書き換えるようにし、これら通信部７３を介して接続されるスケジュール設定用コンピュータ等により登録手段を形成するようにしても良い。
【手続補正１３】
【補正対象書類名】明細書
【補正対象項目名】０１２６
【補正方法】変更
【補正の内容】
【０１２６】
（ａ）請求項１の発明によれば、前記登録手段を設けることにより、切替表示される各表示内容の表示順序を変更したり、新たな提供情報を登録することが可能となり、これら表示順序を変更や新たな提供情報の登録における労力や煩雑さを低減することができる。